(57)【要約】【課題】ユーザの好みに合った照明シーンを容易に形成することができる照明制御システムを提供する。【解決手段】明るさ及び色の少なくとも一方を含む照明条件を調整可能な複数の照明器具３を制御する照明制御システム１は、複数の照明器具３が形成する照明シーンに対するユーザ４の要望を示す文章を取得する取得部１０と、文章を１以上の語句に分解し、分解した語句の出現頻度又は共起性を分析することで、ユーザ４のあかりイメージを特定する分析部２０と、複数のあかりイメージと複数の照明条件とが関連付けられたデータベース部３０と、データベース部３０を参照することで、分析部２０によって特定されたあかりイメージに対応する照明条件を決定し、決定した照明条件で複数の照明器具３を制御する制御部４０とを備える。【選択図】図１
2017091785.tif 000002
【特許請求の範囲】
【請求項１】
明るさ及び色の少なくとも一方を含む照明条件を調整可能な複数の照明器具を制御する照明制御システムであって、
前記複数の照明器具が形成する照明シーンに対するユーザの要望を示す文章を取得する取得部と、
前記文章を１以上の語句に分解し、分解した語句の出現頻度又は共起性を分析することで、前記ユーザのあかりイメージを特定する分析部と、
複数のあかりイメージと複数の照明条件とが関連付けられたデータベース部と、
前記データベース部を参照することで、前記分析部によって特定されたあかりイメージに対応する照明条件を決定し、決定した照明条件で複数の照明器具を制御する制御部とを備える
照明制御システム。
【請求項２】
さらに、
前記ユーザが複数存在する場合に、前記制御部を動作させるユーザを選択する選択部を備える
請求項１に記載の照明制御システム。
【請求項３】
さらに、
前記制御部によって決定された照明条件に基づいて、前記データベース部を更新する更新部を備える
請求項１又は２に記載の照明制御システム。
【請求項４】
前記データベース部は、複数の言語に対応している
請求項１〜３のいずれか１項に記載の照明制御システム。
【請求項５】
コンピュータを、請求項１〜４のいずれか１項に記載の照明制御システムとして機能させるためのプログラム。
【発明の詳細な説明】
【技術分野】
【０００１】
本発明は、複数の照明器具を制御する照明制御システム及びプログラムに関する。
【背景技術】
【０００２】
従来、リモコンなどの携帯端末による制御に基づいて調光又は調色を行うことができる照明器具が知られている。例えば、特許文献１には、ユーザ操作を受け付けて、照明装置の光源の色合い又は明るさを調整するリモコン装置が開示されている。
【先行技術文献】
【特許文献】
【０００３】
【特許文献１】特開２０１３−７３６７３号公報
【発明の概要】
【発明が解決しようとする課題】
【０００４】
しかしながら、上記従来のリモコン装置では、照明装置がユーザの好みに合った照明シーンを形成するためには、照明装置の明るさ又は色をユーザが個々に設定しなければならい。また、複数の照明シーンを予め設定しておいたとしても、これらが必ずしもユーザの好みに合った照明シーンに一致するとは限らない。
【０００５】
このため、従来のリモコン装置では、好みに合った照明シーンを形成するために、ユーザにとって煩わしい作業が強いられており、ユーザ利便性が悪いという問題がある。特に、設定対象の照明装置が複数ある場合には、好みに合った照明シーンを作ることはユーザにとって難しい。
【０００６】
そこで、本発明は、ユーザの好みに合った照明シーンを容易に形成することができる照明制御システム及びプログラムを提供することを目的とする。
【課題を解決するための手段】
【０００７】
上記目的を達成するため、本発明の一態様に係る照明制御システムは、明るさ及び色の少なくとも一方を含む照明条件を調整可能な複数の照明器具を制御する照明制御システムであって、前記複数の照明器具が形成する照明シーンに対するユーザの要望を示す文章を取得する取得部と、前記文章を１以上の語句に分解し、分解した語句の出現頻度又は共起性を分析することで、前記ユーザのあかりイメージを特定する分析部と、複数のあかりイメージと複数の照明条件とが関連付けられたデータベース部と、前記データベース部を参照することで、前記分析部によって特定されたあかりイメージに対応する照明条件を決定し、決定した照明条件で複数の照明器具を制御する制御部とを備える。
【０００８】
また、本発明の一態様は、コンピュータを上記照明制御システムとして機能させるためのプログラムとして実現することができる。あるいは、当該プログラムを格納したコンピュータ読み取り可能な記録媒体として実現することもできる。
【発明の効果】
【０００９】
本発明に係る照明制御システムによれば、ユーザの好みに合った照明シーンを容易に形成することができる。
【図面の簡単な説明】
【００１０】
【図１】実施の形態に係る照明制御システムの構成を示すブロック図である。
【図２】実施の形態に係る照明制御システムが適用される空間の一例を示す図である。
【図３】実施の形態に係るデータベース部が記憶するシーンテーブルを示す図である。
【図４】実施の形態に係るデータベース部が記憶するあかりイメージテーブルを示す図である。
【図５】実施の形態に係る照明制御システムの動作を示すフローチャートである。
【図６】実施の形態に係るデータベース部が記憶する更新後のシーンテーブルを示す図である。
【図７Ａ】実施の形態に係る照明制御システムにおいて、一の照明器具の色を調整する処理の一例を示す図である。
【図７Ｂ】実施の形態に係る照明制御システムにおいて、一の照明器具の明るさを調整する処理の一例を示す図である。
【図８】実施の形態の変形例１に係る照明制御システムの構成を示すブロック図である。
【図９】実施の形態の変形例２に係る照明制御システムの構成を示すブロック図である。
【発明を実施するための形態】
【００１１】
以下では、本発明の実施の形態に係る照明制御システムについて、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成部材については同じ符号を付している。
【００１３】
（実施の形態）
［照明制御システム］
まず、本実施の形態に係る照明制御システムの概要について、図１及び図２を用いて説明する。図１は、本実施の形態に係る照明制御システム１の構成を示すブロック図である。図２は、本実施の形態に係る照明制御システム１が適用される空間の一例を示す図である。
【００１４】
本実施の形態では、図１に示すように、照明制御システム１は、制御端末２と、複数の照明器具３と、データベース部３０とを備える。照明制御システム１は、制御端末２が、図４に示すユーザ４からの要望を受け取り、要望に応じた照明シーンを形成するように、複数の照明器具３を制御する。
【００１５】
制御端末２は、複数の照明器具３を制御する端末装置である。制御端末２は、例えば、ユーザ４によって操作される。制御端末２は、例えば、スマートフォン、携帯電話、タブレット端末、又は、専用のリモコン装置などである。
【００１６】
制御端末２は、無線又は有線を介して複数の照明器具３と通信する。例えば、制御端末２は、無線通信により複数の照明器具３の各々に照明制御信号を送信する。照明制御信号には、照明器具３の照明条件を示す情報が含まれる。
【００１７】
複数の照明器具３は、照明条件を調整可能な照明器具の一例である。照明条件は、明るさ及び色の少なくとも一方を含んでいる。本実施の形態では、照明器具３の明るさは、調光比で示され、照明器具３の色は、色温度で示される。
【００１８】
具体的には、調光比（明るさ）は、０％（消灯）〜１００％（全点灯）の間で設定された値である。色温度は、例えば、２０００Ｋ〜６５００Ｋの間で設定された値である。これにより、照明器具３は、例えば、電球色、昼白色、昼光色などの光を、任意の明るさで出射することができる。
【００１９】
本実施の形態では、複数の照明器具３の各々が調光及び調色機能を有するが、これに限定されない。複数の照明器具３は、調光及び調色機能の一方のみを有してもよい。また、複数の照明器具３の少なくとも１つは、赤色光（Ｒ）、緑色光（Ｇ）及び青色光（Ｂ）などの有色光を出射してもよい。すなわち、照明器具３は、ＲＧＢ調整機能を有してもよく、赤色光、緑色光及び青色光の各々について、独立して調光制御が可能でもよい。
【００２０】
本実施の形態では、照明制御システム１は、複数の照明器具３として、２つの照明器具３、具体的には、シーリングライト３ａ及びフロアライト３ｂを備える。なお、複数の照明器具３の個数及び種類などは、これに限定されない。例えば、複数の照明器具３は、ダウンライト、ペンダントライト、スポットライト、スタンドライト、ブラケットライト、ウォールライトなどでもよい。
【００２１】
図２に示すように、複数の照明器具３は、例えば、ユーザ４が存在する空間に設置されて、当該空間を照明する。当該空間は、例えば、ユーザ４の居住空間であり、具体的には、リビングルーム、ダイニングルーム、寝室などの部屋である。複数の照明器具３の各々が所定の色の光を所定の明るさで出射することで、当該空間に照明シーンを形成する。照明シーンは、複数の照明器具３が出射する光によって照らされた空間の雰囲気である。
【００２２】
以下では、照明制御システム１の各構成要素について詳細に説明する。
【００２３】
［制御端末］
図１に示すように、制御端末２は、取得部１０と、分析部２０と、制御部４０と、シーン選択部５０と、更新部６０と、ユーザ選択部７０とを備える。また、本実施の形態では、制御端末２は、外部のサーバ装置（図示せず）などに備えられたデータベース部３０を参照する。
【００２４】
なお、制御端末２は、図示しない通信部を備える。通信部は、複数の照明器具３及びデータベース部３０（外部のサーバ装置）の各々と通信を行う。通信は、無線通信であるが、有線通信でもよい。無線通信は、例えば、Ｗｉ−Ｆｉ（登録商標）、Ｂｌｕｅｔｏｏｔｈ（登録商標）又はＺｉｇＢｅｅ（登録商標）などの無線通信規格に基づいた通信である。
【００２５】
取得部１０は、照明シーンに対するユーザ４の要望を文章で取得する。本実施の形態では、図１に示すように、取得部１０は、音声入力部１１と、テキスト入力部１２とを備える。
【００２６】
音声入力部１１は、例えばマイクロフォンであり、ユーザ４が発する声（音声）を取得する。ユーザ４は、例えば、「フロアライトはもっとオレンジ色が良い」など、照明シーンに対する要望を発言する。音声入力部１１は、ユーザ４が発した音声を取得することで、取得した音声を文章に変換することで、当該音声に含まれる要望を示す文章（テキスト）を取得する。
【００２７】
テキスト入力部１２は、例えば、制御端末２が備える表示部（例えばタッチパネルディスプレイ）に表示されるテキストボックス及びソフトウェアキーボードなどのＧＵＩ（Ｇｒａｐｈｉｃａｌ  Ｕｓｅｒ  Ｉｎｔｅｒｆａｃｅ）によって実現される。テキスト入力部１２は、照明シーンに対する要望をユーザ４に文章で入力させることで、要望を示す文章を取得する。
【００２８】
なお、取得部１０がユーザ４の要望を文章で取得する方法は、音声又はテキスト入力に限らない。例えば、取得部１０は、イメージセンサなどの撮像部を備え、撮像部が撮像した画像又は映像に基づいて、ユーザ４の要望を文章で取得してもよい。
【００２９】
例えば、ユーザ４が紙などに書いた要望を示す文章（テキスト）を撮像し、当該文章が写った画像から文章を抽出してもよい。画像から文章を抽出する方法は、文字認識などの所定の画像処理によって行われる。あるいは、ユーザ４のジェスチャ（身振り）を撮像し、ジェスチャを含む映像から文章を取得してもよい。例えば、互いに異なる複数のジェスチャには、「明るくする」、「暗くする」、「白色にする」などの要望が予め対応付けられており、取得部１０は、撮像した映像に含まれるジェスチャが対応する要望を文章で取得してもよい。
【００３０】
分析部２０は、取得部１０が取得した文章を１以上の語句に分解し、分解した語句の出現頻度又は共起性を分析することで、ユーザ４のあかりイメージを特定する。具体的には、分析部２０は、現在の照明シーンに対してユーザ４が変更を求める内容（すなわち、要望）を表すあかりイメージを特定する。
【００３１】
語句は、例えば、単語又は文節などの所定の分割単位である。本実施の形態では、分析部２０は、取得部１０が取得した文章を単語毎に分解する。あるいは、分析部２０は、単語毎ではなく、文節（１以上の単語の組み合わせ）毎に分解してもよい。
【００３２】
出現頻度は、所定の期間に取得した文章中に一の単語が出現する回数で示される。出現頻度が多い単語は、ユーザ４の強い要望を示している。したがって、分析部２０は、一の単語の出現頻度を分析することで、ユーザ４の要望の強さを把握することができる。これにより、ユーザ４の要望の強さに応じて、より適切なあかりイメージを特定することができる。
【００３３】
なお、出現頻度を示す頻度情報は、例えば、メモリ（図示せず）などに記憶されている。あるいは、当該頻度情報は、データベース部３０に記憶されていてもよい。
【００３４】
共起性は、複数の単語間が有する関連度合いを示している。具体的には、共起性は、文章に含まれる一の単語と、共に含まれる別の単語との関連度合いを示している。なお、当該別の単語は、取得した文章に含まれる単語でもよく、あるいは、取得した文章に含まれない単語でもよい。つまり、共起性の分析は、文章中に含まれる一の単語に対して、当該単語と共に含まれる単語、又は、含まれる可能性が高い単語の関連度合いを分析することである。
【００３５】
本実施の形態では、分析部２０は、文章中に共に含まれる複数の単語の関連度合いを分析する。関連度合いは、単語間の距離、及び、単語の意味などに基づいて決定される。例えば、一の単語と、当該一の単語の直前又は直後に含まれる単語との関連度合いは高く、当該一の単語から離れた単語程、関連度合いは低くなる。
【００３６】
あかりイメージは、照明シーンに対してユーザ４が抱く明るさ及び色のイメージである。本実施の形態では、あかりイメージは、要望に応じた語句で表現される。具体的には、あかりイメージは、色若しくは明るさ、又は、当該色又は明るさの程度を示す語句、又は、当該語句の組み合わせで示される。あかりイメージは、例えば「オレンジ色」、「もっと暗く」などの色又は明るさに対する要望に応じた語句で表現される。
【００３７】
なお、分析部２０は、例えば、マイコン（マイクロコントローラ）で実現される。具体的には、分析部２０は、プログラムが格納された不揮発性メモリ、プログラムを実行するための一時的な記憶領域である揮発性メモリ、入出力ポート、プログラムを実行するプロセッサなどで実現される。制御部４０及び更新部６０も同様である。
【００３８】
制御部４０は、データベース部３０を参照することで、分析部２０によって特定されたあかりイメージに対応する照明条件を決定し、決定した照明条件で複数の照明器具３を制御する。具体的には、制御部４０は、複数の照明器具３の各々の明るさ及び色の少なくとも一方を制御する。
【００３９】
制御部４０及び分析部２０の具体的な動作については、後で具体例を挙げて説明する。
【００４０】
シーン選択部５０は、ユーザ４からの指示（ユーザ指示）を受け付け、受け付けたユーザ指示に基づいて照明シーンを選択する。例えば、シーン選択部５０は、制御端末２が備える表示部（例えばタッチパネルディスプレイ）に表示される選択ボタンなどのＧＵＩによって実現される。あるいは、シーン選択部５０は、制御端末２が備える物理的なボタンなどでもよい。
【００４１】
例えば、シーン選択部５０は、表示部に複数の照明シーンを選択候補として表示し、ユーザ４に選択させる。シーン選択部５０は、ユーザ４によって選択された照明シーンを示す情報をユーザ指示として受け付けて、制御部４０に出力する。制御部４０は、ユーザ指示が示す照明シーンの照明条件で複数の照明器具３を点灯させる。
【００４２】
更新部６０は、制御部４０によって決定された照明条件に基づいて、データベース部３０を更新する。本実施の形態では、更新部６０は、複数の照明器具３の消灯又は照明シーンの変更の操作を受け付けたときに、データベース部３０を更新する。あるいは、更新部６０は、制御部４０によって照明条件が決定される度にデータベース部３０を更新してもよい。
【００４３】
本実施の形態では、更新部６０は、データベース部３０が記憶しているシーンテーブル３１を更新する。具体的には、更新部６０は、シーン選択部５０によって選択された照明シーンの照明条件が、消灯又は照明シーンの変更が受け付けられた時点における複数の照明器具３の照明条件になるように、シーンテーブル３１を更新する。
【００４４】
ユーザ選択部７０は、ユーザ４が複数存在する場合に、制御部４０を動作させるユーザ４を選択する。制御部４０は、ユーザ選択部７０によって選択されたユーザ４からの要望を示す文章が取得部１０によって取得された場合に動作する。
【００４５】
ユーザ選択部７０は、例えば、シーン選択部５０が照明シーンを選択したときに、ユーザ４を選択する。具体的には、ユーザ選択部７０は、照明シーンを選択したユーザ４を、制御部４０を動作させるユーザとして選択する。すなわち、照明シーンの選択とユーザ４の選択とを同時に行うことができる。
【００４６】
ユーザ選択部７０は、例えば、制御端末２が備える表示部（例えばタッチパネルディスプレイ）に表示される選択ボタンなどのＧＵＩによって実現される。あるいは、シーン選択部５０は、制御端末２が備える物理的なボタンなどでもよい。
【００４７】
［データベース部］
次に、本実施の形態に係るデータベース部３０について説明する。
【００４８】
データベース部３０では、複数のあかりイメージと複数の照明条件とが関連付けられている。具体的には、データベース部３０は、フラッシュメモリ、ＨＤＤ（Ｈａｒｄ  Ｄｉｓｋ  Ｄｒｉｖｅ）などの不揮発性メモリである。本実施の形態では、図１に示すように、データベース部３０は、シーンテーブル３１と、あかりイメージテーブル３２とを記憶している。
【００４９】
図３は、本実施の形態に係るデータベース部３０が記憶するシーンテーブル３１を示す図である。
【００５０】
シーンテーブル３１では、複数の照明シーンの各々に照明条件が対応付けられている。照明条件は、複数の照明器具３の各々の明るさ及び色の設定値を含んでいる。
【００５１】
例えば、制御部４０は、「くつろぎ」の照明シーンがシーン選択部５０によって選択された場合に、シーンテーブル３１を参照することで、複数の照明器具３の各々の照明条件を取得し、取得した照明条件で複数の照明器具３を制御する。図３に示す例では、制御部４０は、シーリングライト３ａの明るさを「７０％」に設定し、色を「電球色」（具体的には、色温度を「３０００Ｋ」）に設定し、かつ、フロアライト３ｂの明るさを「６０％」に設定し、色を「昼白色」（具体的には、色温度を「５０００Ｋ」）に設定する。これにより、ユーザ４が存在する空間に「くつろぎ」の照明シーンが形成される。
【００５２】
シーンテーブル３１で、複数の照明シーンの各々に対応する照明条件が予め設定されたプリセット情報である。例えば、照明制御システム１の製造者、管理者又は販売者などによって、シーンテーブル３１が予め生成されてデータベース部３０に記憶されている。
【００５３】
本実施の形態では、シーンテーブル３１は、更新部６０によって更新することができる。具体的には、更新部６０は、ユーザ４の好みに応じて、一の照明シーンに対応する照明条件の設定値を変更することができる。
【００５４】
また、予め設定された照明シーンだけでなく、ユーザ４が新たに照明シーンを追加することができてもよい。例えば、図３に示すように、シーンテーブル３１には、「ユーザ設定」用のレコード（行）が設けられていてもよい。
【００５５】
図４は、本実施の形態に係るデータベース部３０が記憶するあかりイメージテーブル３２を示す図である。
【００５６】
あかりイメージテーブル３２では、複数のあかりイメージの各々に照明条件が対応付けられている。照明条件は、複数の照明器具３の各々の明るさ及び色の設定値を含んでいる。
【００５７】
本実施の形態では、複数のあかりイメージのうち、出射光の色には、当該色に相当する色温度の設定値（絶対的な値）が照明器具毎に対応付けられている。例えば、「オレンジ」には、シーリングライト及びフロアライトの各々に対して３０００Ｋが対応付けられている。
【００５８】
また、複数のあかりイメージのうち、出射光の明るさ（調光比）には、当該明るさの変化量（増減を示す値）が照明器具毎に対応付けられている。例えば、「もっと明るく」には、シーリングライトに対して＋２０％（２０％の増加）が対応付けられ、フロアライトに対して＋１０％（１０％の増加）が対応付けられている。
【００５９】
なお、図４に示すあかりイメージテーブル３２は一例に過ぎず、これに限定されない。例えば、「オレンジ」などの色に対して色温度の変化量が対応付けられていてもよい。「まぶしい」などの明るさに対して調光比の絶対的な値が対応付けられていてもよい。
【００６０】
例えば、制御部４０は、「オレンジ」のあかりイメージが分析部２０によって特定された場合に、あかりイメージテーブル３２を参照することで、複数の照明器具３の各々の照明条件を決定し、決定した照明条件で複数の照明器具３を制御する。照明条件の決定の詳細については、後で具体例を挙げて説明する。
【００６１】
あかりイメージテーブル３２では、複数のあかりイメージの各々に対応する照明条件が予め設定されたプリセット情報である。例えば、照明制御システム１の製造者、管理者又は販売者などによって、あかりイメージテーブル３２が予め生成されてデータベース部３０に記憶されている。本実施の形態では、あかりイメージテーブル３２は更新されない。
【００６２】
なお、本実施の形態では、制御端末２と通信可能な外部のサーバ装置がデータベース部３０を備えている。これにより、サーバ装置は、照明制御システム１を利用する複数のユーザ４からの利用状況を収集することができる。つまり、複数のユーザ４の各々が各自の空間に各自の好みに合った照明シーンを形成する際の要望などを収集することで、要望又は照明シーンの傾向などを分析することができる。傾向には、地理的傾向、年齢的傾向などが含まれる。例えば、特定の地域のユーザ４には、特定の照明シーンを好む傾向があるなどの情報を分析結果として得ることができる。
【００６３】
これにより、データベース部３０の最適化などを行うことができ、ユーザ４が好みに合った照明シーンを形成するのを支援することができる。例えば、分析した傾向に合わせて、初期設定の照明シーンをユーザ４の好みに近づけておくことで、より短期間でユーザ４の好みに合った照明シーンを形成することができる。
【００６４】
また、複数のユーザ４が存在する場合に、データベース部３０は、ユーザ毎のシーンテーブル３１を記憶していてもよい。この場合、例えば、制御部４０は、複数のシーンテーブル３１の中から、ユーザ選択部７０が選択したユーザ４のシーンテーブル３１を参照して照明器具３の制御を行う。
【００６５】
［動作］
続いて、本実施の形態に係る照明制御システム１の動作について、図５を用いて説明する。図５は、本実施の形態に係る照明制御システム１の動作を示すフローチャートである。
【００６６】
まず、制御部４０は、ユーザ指示に基づいて、複数の照明シーンの中から１つの照明シーンを選択する（Ｓ１０）。具体的には、まず、シーン選択部５０がユーザ指示を受け付ける。例えば、シーン選択部５０は、シーンテーブル３１に記憶されている複数の照明シーンを表示部に表示して、ユーザ４に１つの照明シーンを選択させる。シーン選択部５０は、ユーザ４によって選択された照明シーンを示す情報をユーザ指示として受け付けて、制御部４０に出力する。制御部４０は、シーン選択部５０から出力されたユーザ指示が示す照明シーンを選択する。
【００６７】
次に、制御部４０は、選択された照明シーンに対応する照明条件で複数の照明器具３を点灯させる（Ｓ１２）。これにより、複数の照明器具３の各々が、所定の明るさ及び色の光を出射することで、ユーザ４が存在する空間（例えば、図２に示すリビングルーム）に照明シーンを形成する。なお、制御部４０は、複数の照明器具３の全てを点灯させなくてもよく、照明条件次第では、複数の照明器具３の１つのみを点灯させてもよい。
【００６８】
複数の照明器具３の点灯中に、ユーザ４から要望があった場合（Ｓ１４でＹｅｓ）、取得部１０は、ユーザ４から要望を示す文章を取得する（Ｓ１６）。例えば、音声入力部１１は、ユーザ４が発した音声を取得することで、要望を示す文章を取得する。
【００６９】
次に、分析部２０は、文章を単語に分解し、単語の出現頻度又は共起性を分析することで、ユーザのあかりイメージを特定する（Ｓ１８）。次に、制御部４０は、データベース部３０を参照して、特定したあかりイメージの照明条件で複数の照明器具３を点灯させる（Ｓ２０）。分析部２０及び制御部４０の具体的な処理については、図７Ａ及び図７Ｂを用いて後で説明する。
【００７０】
このようにして、ユーザ４の要望に基づいて特定されたあかりイメージに合った照明シーンが空間内に形成される。照明シーンを継続する場合（Ｓ２２でＹｅｓ）、ステップＳ１４に戻り、ユーザ４からの要望があった場合には、ステップＳ１６〜Ｓ２０の処理が繰り返される。
【００７１】
これにより、一度の要望ではユーザ４の好みに合った照明シーンが形成されない場合であっても、要望を繰り返すことにより、徐々にユーザ４の好みに合った照明シーンに近づけていくことができる。例えば、数日又は一週間程度、照明制御システム１を利用することで、ユーザ４の好みに合った照明シーンが形成される。
【００７２】
ユーザ４から要望がない場合（Ｓ１４でＮｏ）、すなわち、取得部１０が要望を示す文章を取得しない場合において、照明シーンを継続するとき（Ｓ２２でＹｅｓ）は、ステップＳ１４に戻る。
【００７３】
照明シーンを継続しないとき（Ｓ２２でＮｏ）、更新部６０が照明シーンを更新する（Ｓ２４）。照明シーンを継続しないときとは、具体的には、シーン選択部５０がユーザ４から消灯又は照明シーンの変更の操作を受け付けた場合である。この場合、更新部６０は、制御部４０がステップＳ２０で決定した照明条件に基づいて、データベース部３０を更新する。具体的には、更新部６０は、消灯又は照明シーンの変更が受け付けられた時点における複数の照明器具３の照明条件になるように、シーンテーブル３１を更新する。
【００７４】
図６は、本実施の形態に係るデータベース部３０が記憶する更新後のシーンテーブル３１を示す図である。
【００７５】
ここでは、一例として、消灯の時点において、「くつろぎ」の照明シーンが設定されており、フロアライト３ｂの明るさが５０％であり、色が４０００Ｋである場合を想定する。このとき、更新部６０は、図６に示すように、「くつろぎ」の照明シーンに対応付けられたフロアライトの明るさ及び色（ドットの網掛け部分）を、消灯時のフロアライト３ｂの明るさ（５０％）及び色（４０００Ｋ）に変更して記録する。
【００７６】
これにより、次に「くつろぎ」の照明シーンが選択されたときには、フロアライト３ｂは更新後の照明条件で点灯される。すなわち、ユーザ４の要望が反映された状態でフロアライト３ｂが点灯されるので、照明シーンを選択した時点から、ユーザ４の好みに近い照明シーンを形成することができる。
【００７７】
［具体例１：色の調整］
以下では、照明制御システム１の上述した動作を、具体例を挙げてより詳細に説明する。まず、一の照明器具３の色を調整する例について、図７Ａを用いて説明する。
【００７８】
図７Ａは、本実施の形態に係る照明制御システム１において、一の照明器具３の色を調整する処理の一例である。なお、図７Ａに示す例では、ユーザ４は、所定の照明シーンを選択済みであり、複数の照明器具３によって当該照明シーンが形成された空間に存在する場合を示している。
【００７９】
ユーザ４は、例えば、現状の照明シーンが自身の好みのシーンではない場合に、現状の照明シーンに対する要望を発言する。例えば、図７Ａに示すように、ユーザ４は、要望として、「フロアライトはもっとオレンジ色が良い」と発言する。音声入力部１１は、ユーザ４が発した音声を取得することで、「フロアライトはもっとオレンジ色が良い」という文章を取得する（図５のステップＳ１６）。
【００８０】
次に、分析部２０は、音声入力部１１が取得した文章を単語に分解する。ここでは、「フロアライトはもっとオレンジ色が良い」が、「フロアライト」「は」「もっと」「オレンジ色」「が」「良い」の６つの単語に分解される。
【００８１】
本実施の形態では、分析部２０は、単語間の共起性を分析する。例えば、分析部２０は、複数の単語の中から、照明器具に関連する単語、及び、あかりイメージに関連する単語の相互の関連度合いを分析する（図５のステップＳ１８）。
【００８２】
例えば、照明器具に関連する単語は、ユーザ４が照明条件の変更を求める照明器具を特定するための単語であり、図７Ａに示す例では「フロアライト」である。これにより、分析部２０は、制御対象の照明器具が「フロアライト」であることを特定する。
【００８３】
また、あかりイメージに関連する単語は、例えば、明るさ及び色、並びに、これらの程度を特定するための単語である。図７Ａに示す例では、「もっと」、「オレンジ色」及び「良い」である。
【００８４】
ここで、「オレンジ色」という単語に対して、「もっと」が直前の単語であり、「良い」が直後の単語（助詞を除く）である。分析部２０は、これらの３つの単語の関連度合いが高いと判断する。また、「フロアライト」は「もっと」の直前の単語であるので、分析部２０は、この２つの単語の関連度合いも高いと判断する。このようにして、分析部２０は、単語間の関連度合い（共起性）を分析することで、「フロアライトの色」を「オレンジ色」に近づけるというあかりイメージを特定する。
【００８５】
図７Ａに示す例では、さらに、分析部２０は、照明器具３の明るさ又は色の変化量（制御量）を、明るさ又は色に関連する単語の出現頻度に基づいて決定する。図７Ａに示す例では、分析部２０は、「オレンジ色」に「近づける」程度を、色に関連する単語の出現頻度に基づいて決定する。
【００８６】
具体的には、図７Ａに示すように、「オレンジ色」が２回出現しており、「白色」が１回出現している。すなわち、色に関連する単語のうち「オレンジ色」及び「白色」が出現する割合はそれぞれ、６７％（＝２／３）及び３３％（＝１／３）となる。これにより、分析部２０は、「オレンジ色」が６７％、「白色」が「３３％」となる色を、あかりイメージとして特定する。
【００８７】
制御部４０は、分析部２０によって特定されたあかりイメージ及び制御対象の器具に基づいて、データベース部３０を参照する。具体的には、制御部４０は、あかりイメージテーブル３２を参照することで、照明条件を決定し、決定した照明条件で複数の照明器具３を点灯させる（図５のステップＳ２０）。
【００８８】
例えば、制御部４０は、図４に示すあかりイメージテーブル３２を参照することで、フロアライト３ｂの色を「オレンジ色」に近づけるような照明条件を決定する。具体的には、制御部４０は、フロアライト３ｂの色を「オレンジ色」と「白色」との重み付け加算した色にする。重み付け加算の重みが各色の出現頻度である。したがって、図４及び図７Ａに示す例では、制御部４０は、フロアライト３ｂの色の設定値として、４０００Ｋ（＝３０００Ｋ×２／３＋６０００Ｋ×１／３）を決定する。制御部４０は、決定した設定値を含む制御信号をフロアライト３ｂに送信する。これにより、制御信号を受信したフロアライト３ｂは、色を５０００Ｋ（現在の値）から４０００Ｋ（新たな設定値）に変更する。
【００８９】
［具体例２：明るさの変更］
次に、一の照明器具３の明るさを調整する例について、図７Ｂを用いて説明する。なお、色と明るさとを同時に調整する場合は、図７Ａで説明した処理を合わせて行えばよい。
【００９０】
図７Ｂは、本実施の形態に係る照明制御システム１において、一の照明器具３の明るさを調整する処理の一例である。なお、図７Ｂに示す例では、ユーザ４は、所定の照明シーンを選択済みであり、複数の照明器具３によって当該照明シーンが形成された空間に存在する場合を示している。
【００９１】
図７Ｂに示す例では、ユーザ４は、要望として、「フロアライトはもっと暗いのが良い」と発言する。音声入力部１１は、ユーザ４が発した音声を取得することで、「フロアライトはもっと暗いのが良い」という文章を取得する（図５のステップＳ１６）。
【００９２】
次に、分析部２０は、音声入力部１１が取得した文章を単語に分解する。ここでは、「フロアライトはもっと暗いのが良い」が、「フロアライト」「は」「もっと」「暗い」「の」「が」「良い」の７つの単語に分解される。
【００９３】
図７Ａと同様に、照明器具に関連する単語は、ユーザ４が照明条件の変更を求める照明器具を特定するための単語であり、図７Ｂに示す例では「フロアライト」である。これにより、分析部２０は、制御対象の照明器具が「フロアライト」であることを特定する。
【００９４】
また、あかりイメージに関連する単語は、図７Ｂに示す例では、「もっと」、「暗い」及び「良い」である。
【００９５】
ここで、「暗い」という単語に対して、「もっと」が直前の単語であり、「良い」が直後の単語であるので、分析部２０は、これらの３つの単語の関連度合いが高いと判断する。また、「フロアライト」は「もっと」の直前の単語であるので、分析部２０は、この２つの単語の関連度合いも高いと判断する。このようにして、分析部２０は、単語間の関連度合い（共起性）を分析することで、「フロアライトの明るさ」を「もっと暗く」するというあかりイメージを特定する。
【００９６】
本実施の形態では、分析部２０は、出現頻度を分析することなく、明るさのあかりイメージを特定する。これは、図４に示すように、あかりイメージテーブル３２では、明るさの程度に応じて照明条件が対応付けられているためである。なお、図７Ａで説明した「色」の場合と同様に、「明るさ」についても出現頻度を分析してもよい。
【００９７】
制御部４０は、分析部２０によって特定されたあかりイメージ及び制御対象の器具に基づいて、データベース部３０を参照する。具体的には、制御部４０は、あかりイメージテーブル３２を参照することで、照明条件を決定し、決定した照明条件で複数の照明器具３を点灯させる（図５のステップＳ２０）。
【００９８】
例えば、制御部４０は、図４に示すあかりイメージテーブル３２を参照することで、フロアライト３ｂの明るさを「もっと暗く」するような照明条件を決定する。具体的には、制御部４０は、フロアライト３ｂの明るさの設定値として、−１０％を決定する。制御部４０は、決定した設定値を含む制御信号をフロアライト３ｂに送信する。これにより、制御信号を受信したフロアライト３ｂは、明るさ（調光比）を６０％（現在の値）から５０％（新たな設定値）に変更する。
【００９９】
［効果など］
以上のように、本実施の形態に係る照明制御システム１は、明るさ及び色の少なくとも一方を含む照明条件を調整可能な複数の照明器具３を制御する照明制御システム１であって、複数の照明器具３が形成する照明シーンに対するユーザ４の要望を示す文章を取得する取得部１０と、文章を１以上の語句に分解し、分解した語句の出現頻度又は共起性を分析することで、ユーザ４のあかりイメージを特定する分析部２０と、複数のあかりイメージと複数の照明条件とが関連付けられたデータベース部３０と、データベース部３０を参照することで、分析部２０によって特定されたあかりイメージに対応する照明条件を決定し、決定した照明条件で複数の照明器具３を制御する制御部４０とを備える。
【０１００】
このように、語句の出現頻度又は共起性を分析することで、ユーザ４のあかりイメージを特定するので、特定したあかりイメージには、ユーザ４の過去の要望を示す情報（例えば、「オレンジ色」を要望した回数など）が累積的に含まれる。したがって、ユーザ４の要望に基づいて、あかりイメージの特定を繰り返すことで、特定されるユーザ４のあかりイメージは、ユーザ４が最も好む照明シーンのあかりイメージに徐々に近づいていく。これにより、ユーザ４の好みに合った照明シーンを形成することができる。
【０１０１】
また、照明制御システム１は、ユーザ４の要望を文章で取得する取得部１０を備えるので、ユーザ４は、調光比又は色温度などの具体的な設定値を入力する必要がない。したがって、ユーザ４には面倒な設定などが要求されずに、ユーザ４の好みに合った照明シーンを容易に形成することができる。
【０１０２】
また、予め厳密な照明条件を準備する必要がなく、製造（開発）コスト及び期間などを短くすることができる。例えば、地域又は年齢毎に照明シーンの好みの傾向は異なるが、照明制御システム１によれば、ユーザ４からの要望に基づいて好みに合った照明シーンを容易に形成することができるので、地域又は年齢毎に異なる照明シーンの照明条件を予め準備する必要はない。
【０１０３】
また、例えば、照明制御システム１は、さらに、ユーザ４が複数存在する場合に、制御部４０を動作させるユーザを選択するユーザ選択部７０を備える。
【０１０４】
これにより、複数のユーザ４が存在する場合でも、選択されたユーザ４の好みに合った照明シーンを形成することができる。したがって、例えば、複数のユーザ４の各々の好みに合った複数の照明シーンを形成することができる。
【０１０５】
また、例えば、さらに、制御部４０によって決定された照明条件に基づいて、データベース部３０を更新する更新部６０を備える。
【０１０６】
このように、制御部４０によって決定された照明条件に基づいてデータベース部３０を更新するので、データベース部３０には、ユーザ４の要望を反映させた照明条件が記録される。このため、次にデータベース部３０を参照して照明条件を決定する際には、以前の要望が反映された照明条件を利用することができる。したがって、例えば、データベース部３０の更新を繰り返すことにより、複数の照明器具３が形成する照明シーンは、ユーザ４が最も好む照明シーンにより近いものにすることができる。
【０１０７】
なお、本実施の形態における技術は、照明制御システムとして実現できるだけでなく、コンピュータを、上述した照明制御システムとして機能させるためのプログラムとして実現することもできる。あるいは、当該プログラムを記録したコンピュータ読み取り可能なＤＶＤ（Ｄｉｇｉｔａｌ  Ｖｅｒｓａｔｉｌｅ  Ｄｉｓｃ）などの記録媒体として実現することもできる。
【０１０８】
つまり、上述した包括的又は具体的な態様は、システム、装置、集積回路、コンピュータプログラム又はコンピュータ読み取り可能な記録媒体で実現されてもよく、システム、装置、集積回路、コンピュータプログラム及び記録媒体の任意な組み合わせで実現されてもよい。
【０１０９】
（変形例１）
続いて、上記の実施の形態の変形例１について、図８を用いて説明する。図８は、本変形例に係る照明制御システム１００の構成を示すブロック図である。
【０１１０】
本変形例に係る照明制御システム１００は、実施の形態に係る図１に示す照明制御システム１と比較して、データベース部３０の代わりにデータベース部１３０を備える点が異なっている。以下では、上記の実施の形態と異なる点を中心に説明し、同じ点は説明を省略又は簡略化する。
【０１１１】
本変形例に係るデータベース部１３０は、複数の言語に対応している。複数の言語は、例えば、英語、日本語及び中国語などである。具体的には、図８に示すように、データベース部１３０は、日本語用のシーンテーブル１３１ｊと、英語用のシーンテーブル１３１ｅと、中国語用のシーンテーブル１３１ｃと、日本語用のあかりイメージテーブル１３２ｊと、英語用のあかりイメージテーブル１３２ｅと、中国語用のあかりイメージテーブル１３２ｃとを記憶している。
【０１１２】
日本語用のシーンテーブル１３１ｊと、英語用のシーンテーブル１３１ｅと、中国語用のシーンテーブル１３１ｃとは、例えば、図３に示すシーンテーブル３１を各々の言語に翻訳したものである。このとき、日本語用のシーンテーブル１３１ｊと、英語用のシーンテーブル１３１ｅと、中国語用のシーンテーブル１３１ｃとでは、各シーンに対応付けられた照明条件の設定値が互いに同じでもよく、異なっていてもよい。
【０１１３】
日本語用のあかりイメージテーブル１３２ｊと、英語用のあかりイメージテーブル１３２ｅと、中国語用のあかりイメージテーブル１３２ｃとは、例えば、図４に示すあかりイメージテーブル３２を各々の言語に翻訳したものである。このとき、日本語用のあかりイメージテーブル１３２ｊと、英語用のあかりイメージテーブル１３２ｅと、中国語用のあかりイメージテーブル１３２ｃとでは、各あかりイメージに対応付けられた照明条件の設定値が互いに同じでもよく、異なっていてもよい。
【０１１４】
なお、複数のシーンテーブル及びあかりイメージテーブルのいずれを利用するかは、例えば、シーン選択部５０がユーザ４から照明シーンを受け付けたときに制御部４０が決定する。
【０１１５】
以上のように、本変形例に係る照明制御システム１００は、複数の言語に対応したデータベース部１３０を備える。これにより、照明制御システム１００は、特定の言語（例えば日本語）が話せないユーザ４にも使いやすくなり、ユーザ利便性が高い。したがって、本変形例に係る照明制御システム１００は、多くのユーザ４が利用することができ、ユーザ４の各々が、自身の好みに合った照明シーンを容易に形成することができる。
【０１１６】
なお、例えば、各シーンテーブル１３１ｊ、１３１ｅ及び１３１ｃは、日本人、アメリカ人及び中国人の各々が統計的に好むシーンの照明条件の設定値が記録されていてもよい。各あかりイメージテーブル１３２ｊ、１３２ｅ及び１３２ｃについても同様である。
【０１１７】
このように、各々の国民性などに応じて適切な設定値を予め設定しておくことで、ユーザ４の好みの照明シーンをより短期間で簡単に形成することができる。このとき、国毎に厳密な設定値までは定める必要がなく、製造（開発）コスト及び期間を低減（短縮）することができる。
【０１１８】
なお、データベース部１３０は、各々の言語に対応したテーブルを記憶していなくてもよく、例えば、分析部２０又は制御部４０などが、翻訳機能を有していてもよい。つまり、分析部２０又は制御部４０などは、取得部１０によって取得された語句を、データベース部１３０が記憶しているテーブルの言語に翻訳してもよい。あるいは、当該翻訳は、インターネットなどの通信を介して、外部のサーバ装置を利用して行ってもよい。
【０１１９】
（変形例２）
続いて、上記の実施の形態の変形例２について、図９を用いて説明する。図９は、本変形例に係る照明制御システム２００の構成を示すブロック図である。
【０１２０】
本変形例に係る照明制御システム２００は、実施の形態に係る図１に示す照明制御システム１と比較して、図９に示すように、制御端末２を備えずに、各々が制御端末２の機能を有する複数の照明器具２０３を備える。以下では、上記の実施の形態と異なる点を中心に説明し、同じ点は説明を省略又は簡略化する。
【０１２１】
照明器具２０３は、図９に示すように、制御端末２が備える構成要素を備える。具体的には、照明器具２０３は、取得部１０と、分析部２０と、制御部４０と、シーン選択部５０と、更新部６０と、ユーザ選択部７０とを備える。さらに、照明器具２０３は、データベース部３０と、光源部８０とを備える。
【０１２２】
本変形例に係る照明制御システム２００は、図９に示すように、複数の照明器具２０３として、シーリングライト２０３ａと、フロアライト２０３ｂとを備える。図９には示していないが、フロアライト２０３ｂは、機能的にはシーリングライト２０３ａと同じ構成要素を備える。
【０１２３】
光源部８０は、照明器具２０３の光源であり、可視光（照明光）を出射する。光源部８０は、例えば、ＬＥＤ（Ｌｉｇｈｔ  Ｅｍｉｔｔｉｎｇ  Ｄｉｏｄｅ）素子を有するＬＥＤモジュールである。なお、光源部８０は、ＬＥＤモジュールに限らず、有機ＥＬ（Ｅｌｅｃｔｒｏ−Ｌｕｍｉｎｅｓｃｅｎｃｅ）素子又は蛍光灯でもよい。
【０１２４】
光源部８０は、調光及び調色機能の少なくとも一方を有する。具体的には、光源部８０は、制御部４０によって設定された照明条件に基づいて光を出射する。例えば、光源部８０は、２０００Ｋ〜６５００Ｋの間で設定された色温度の光を、０％〜１００％の間で設定された調光比（明るさ）で出射する。
【０１２５】
本変形例に係る照明制御システム２００は、複数の照明器具２０３の各々が備える取得部１０によって、ユーザ４からの要望を示す文章を取得する。また、制御部４０は、光源部８０を制御すればよく、他の照明器具２０３を制御しなくてもよい。このため、シーンテーブル３１及びあかりイメージテーブル３２は、各々に対応する照明器具の照明条件のみが記録されていてもよい。例えば、シーリングライト２０３ａのデータベース部３０に記憶されたシーンテーブル３１には、シーリングライト２０３ａの照明条件のみが記録されており、フロアライト２０３ｂの照明条件は記録されていなくてもよい。
【０１２６】
以上のように、本変形例に係る照明制御システム２００は、複数の照明器具２０３の各々が取得部１０、分析部２０、データベース部３０及び制御部４０などを備えるので、実施の形態と同様に、ユーザ４の好みに合った照明シーンを容易に形成することができる。このとき、照明器具２０３間又は照明器具２０３と制御端末との間での通信などを行わなくてよいので、通信に係る消費電力を削減することができる。
【０１２７】
（その他）
以上、本発明に係る照明制御システムについて、上記の実施の形態及びその変形例に基づいて説明したが、本発明は、上記の実施の形態に限定されるものではない。
【０１２８】
例えば、上記の実施の形態では、照明制御システム１がシーン選択部５０を備える例について示したが、これに限らない。具体的には、照明制御システム１は、ユーザ４からの照明シーンの選択を受け付けなくてもよい。言い換えると、照明制御システム１における照明シーンは１つのみでもよく、当該１つのみの照明シーンに対してユーザ４の要望を反映することで、ユーザ４の好みに合った照明シーンをすることもできる。
【０１２９】
また、例えば、上記の実施の形態では、照明制御システム１がユーザ選択部７０を備える例について示したが、これに限らない。例えば、照明制御システム１は、複数のユーザ４が存在する場合においても、複数のユーザ４を区別することなく、全てのユーザ４からの要望に基づいて照明シーンを形成することもできる。
【０１３０】
例えば、Ｎ人（Ｎは２以上の自然数）のユーザ４が存在する場合に、制御部４０は、Ｎ人のユーザ４からの要望（あかりイメージ）を平均することで、Ｎ人のユーザ４のあかりイメージを特定してもよい。一例として、２人のユーザ４が存在する場合に、取得部１０は、第１ユーザから「明るくして欲しい」という要望（１０％の調光比の増加に相当）を３回受け付け、第２ユーザから「暗くして欲しい」という要望（１０％の調光比の減少に相当）を１回受け付けたと想定する。
【０１３１】
このとき、第１ユーザのあかりイメージは、３０％の調光比の増加に相当し、第２ユーザのあかりイメージは、１０％の調光比の減少に相当する。制御部４０は、２人のあかりイメージを平均することで、１０％（＝｛３０％＋（−１０％）｝÷２）の調光比の増加に相当するイメージを、２人のユーザ４のあかりイメージとして特定する。このように、複数のユーザ４の各々の要望を最大公約数的に実現することもできる。
【０１３２】
また、例えば、上記の実施の形態では、データベース部３０が外部のサーバ装置に備えられている例について示したが、これに限らない。例えば、制御端末２がデータベース部３０を備えてもよい。
【０１３３】
また、例えば、上記の実施の形態では、照明制御システム１が更新部６０を備える例について示したが、これに限らない。シーンテーブル３１を更新しなくても、例えば、頻度情報などをメモリなどに記憶しておくことで、ユーザ４のあかりイメージを累積的に記憶することができる。
【０１３４】
また、例えば、共起性の分析結果（具体的には、単語間の関連度合い）をデータベース化してもよい。分析部２０は、データベースを参照することで、文章中に含まれる一の単語から、関連度合いの高い別の単語を推定することもできる。
【０１３５】
これにより、例えば、ユーザ４の要望が「明るくして欲しい」などのように、明るさの程度に関する語句が含まれない場合であっても、「明るい」と「もっと」との間の関連度合いが高い場合には、分析部２０は、「明るくして欲しい」という要望から「もっと明るく」というあかりイメージを特定することができる。
【０１３６】
このようにして、あかりイメージの特定を補助することができ、ユーザ４の好みに合ったあかりイメージをより短期間で形成することができる。
【０１３７】
また、上記の実施の形態において、各構成要素は、専用のハードウェアで構成されてもよく、あるいは、各構成要素に適したソフトウェアプログラムを実行することによって実現されてもよい。各構成要素は、ＣＰＵ（Ｃｅｎｔｒａｌ  Ｐｒｏｃｅｓｓｉｎｇ  Ｕｎｉｔ）又はプロセッサなどのプログラム実行部が、ハードディスク又は半導体メモリなどの記録媒体に記録されたソフトウェアプログラムを読み出して実行することによって実現されてもよい。
【０１３８】
なお、本発明は、照明制御システムとして実現できるだけでなく、照明制御システムの各構成要素が行う処理をステップとして含むプログラム、及び、そのプログラムを記録したコンピュータ読み取り可能なＤＶＤ（Ｄｉｇｉｔａｌ  Ｖｅｒｓａｔｉｌｅ  Ｄｉｓｃ）などの記録媒体として実現することもできる。
【０１３９】
つまり、上述した包括的又は具体的な態様は、システム、装置、集積回路、コンピュータプログラム又はコンピュータ読み取り可能な記録媒体で実現されてもよく、システム、装置、集積回路、コンピュータプログラム及び記録媒体の任意な組み合わせで実現されてもよい。
【０１４０】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１４１】
１、１００、２００  照明制御システム
２  制御端末
３、２０３  照明器具
４  ユーザ
１０  取得部
２０  分析部
３０、１３０  データベース部
４０  制御部
６０  更新部
７０  ユーザ選択部（選択部）
【図１】
2017091785.tif 000003
【図２】
2017091785.tif 000004
【図３】
2017091785.tif 000005
【図４】
2017091785.tif 000006
【図５】
2017091785.tif 000007
【図６】
2017091785.tif 000008
【図７Ａ】
2017091785.tif 000009
【図７Ｂ】
2017091785.tif 000010
【図８】
2017091785.tif 000011
【図９】
2017091785.tif 000012